(57)【要約】【課題】木材を使用した浴槽であって、箍を備えず多様な形状とすることが可能な浴槽を提供する。【解決手段】浴槽１は、底部１０、底部の周縁から立ち上がる周壁部２０、及び、周壁部の上端を被覆する環状の框部３０を具備し、周壁部は、複数の木材片Ｗ１が並設され上端が框部と一体化された内側木材層２１、内側木材層の外側で複数の木材片Ｗ２が並設され上端が框部と一体化された外側木材層２２、及び、内側木材層及び外側木材層の間に設けられた繊維強化プラスチックの樹脂層２３の三層構造であり、周壁部を外側から巻き締める箍は具備していないことを特徴とする。【選択図】図１
0003160678.tif 000002
【実用新案登録請求の範囲】
【請求項１】
底部、該底部の周縁から立ち上がる周壁部、及び、該周壁部の上端を被覆する環状の框部を具備し、
該周壁部は、複数の木材片が並設され上端が前記框部と一体化された内側木材層、該内側木材層の外側で複数の木材片が並設され上端が前記框部と一体化された外側木材層、及び、前記内側木材層及び前記外側木材層の間に設けられた繊維強化プラスチックの樹脂層の三層構造であり、
前記周壁部を外側から巻き締める箍は具備しない
ことを特徴とする浴槽。
【請求項２】
前記樹脂層は前記内側木材層の外周面に積層されており、
前記樹脂層と前記外側木材層との間には空隙が形成されている
ことを特徴とする請求項１に記載の浴槽。
【請求項３】
前記周壁部の外形は平面視で円形または楕円形であり、
前記周壁部の前記底部に対する角度は１００度〜１５０度である
ことを特徴とする請求項１または請求項２に記載の浴槽。
【請求項４】
前記周壁部の外形は平面視で円形または楕円形であり、
前記周壁部の前記底部に対する角度は直角である
ことを特徴とする請求項１または請求項２に記載の浴槽。
【請求項５】
前記周壁部の前記底部に対する角度は単一ではない
ことを特徴とする請求項１乃至請求項３の何れか一つに記載の浴槽。
【考案の詳細な説明】
【技術分野】
【０００１】
本考案は、木材を使用した浴槽に関するものである。
【背景技術】
【０００２】
ヒノキなどの木材製の浴槽の伝統的な形状は、平面視（真上から見たとき）の外形で四角形、円形、または、小判形にほぼ限られる。これは、従来の木材製の浴槽は、その製造方法ゆえに形状に制約があるからである。具体的には、板状の木材を使用して、角型ではない湾曲形状を備える浴槽を製造する場合は、短冊状（細長い板状）に切断された板材を使用し、これを多数並設することによって湾曲形状の周壁部を形成する。そして、その形状を保持すると共に板材間からの漏水を防ぐために、周壁部を外側から箍（たが）で巻き締める。そのため、従来の木材製の浴槽では、湾曲形状としては、箍を緩みなく締め付け易い円形または小判形に限定されていた。また、周壁部の外周に巻回された箍は、外観上で大変目立つものである。
【０００３】
このように箍が嵌められた木材製の浴槽、いわゆる桶風呂は、昔ながらの素朴な味わいを有し、好む人も多い一方で、近年では浴槽に多様な意匠が要請される傾向がある。そのため、伝統的な素材を使用した木材製の浴槽に対しても、従来にはない新規な形状が望まれている。
【考案の概要】
【考案が解決しようとする課題】
【０００４】
そこで、本考案は上記の実情に鑑み、木材を使用した浴槽であって、箍を備えず多様な形状とすることが可能な浴槽、の提供を課題とするものである。
【課題を解決するための手段】
【０００５】
上記課題を解決するため、本考案にかかる浴槽は、「底部、該底部の周縁から立ち上がる周壁部、及び、該周壁部の上端を被覆する環状の框部を具備し、該周壁部は、複数の木材片が並設され上端が前記框部と一体化された内側木材層、該内側木材層の外側で複数の木材片が並設され上端が前記框部と一体化された外側木材層、及び、前記内側木材層及び前記外側木材層の間に設けられた繊維強化プラスチックの樹脂層の三層構造であり、前記周壁部を外側から巻き締める箍は具備しない」ものである。
【０００６】
「木材片」の「木材」としては、特に限定されるものではないが、ヒノキ、サワラ、マキ、ヒバ、ネズコ等を使用することができる。
【０００７】
「内側木材層の上端」と「框部」との一体化、及び、「外側木材層の上端」と「框部」との一体化は、例えば、一方に突条または突部を設けると共に、他方にこれと対応する形状の溝または孔部を設けて、両者を嵌合させることにより行うことができる。或いは、接着剤を使用して接合することにより行うことができる。或いは、部材の嵌合と接着剤による接着とを併用して行うことができる。
【０００８】
「繊維強化プラスチック」のマトリックス樹脂としては、不飽和ポリエステル樹脂、エポキシ樹脂、フェノール樹脂、ビニルエステル樹脂等の熱硬化性樹脂を使用することができる。また、強化繊維としては、ガラス繊維、炭素繊維、アラミド繊維等の高弾性・高強度の樹脂繊維を、単独あるいは併用して使用可能である。
【０００９】
上記構成の浴槽では、内側木材層が複数の木材片を並設して形成されていることにより、木材片の間隙から漏水するおそれがあるところ、内側木材層と外側木材層との間に繊維強化プラスチックによる樹脂層が存在するため、この樹脂層によって漏水が防止される。そのため、複数の板材片によって組み上げられている周壁部であっても、従来の桶風呂とは異なり、漏水を防止するために板材片を箍で巻き締める必要がない。
【００１０】
従って、箍を巻き締めるために形状が制約されていた従来の桶風呂とは異なり、本考案の浴槽は形状の自由度が高く、従来の桶風呂にはない新規な形状も含めて、多様な形状とすることができる。
【００１１】
また、周壁部は三層構造であり、漏水を防止するための樹脂層は、内側木材層と外側木材層という二つの木材層に挟まれている。加えて、周壁部の上端は框部で被覆されている。これにより、樹脂層が外部から視認されず外観が良い。そして、周壁部の内側も外側も木材層からなるため、木材の木目、肌触り、香りなど、従来の木製の浴槽の有する長所を損なうことなく、従来の木製の浴槽にはなかった形状の多様性を備えることができる。なお、内側木材層の上端を外側に向かって延出することにより、或いは、外側木材層の上端を内側に向かって延出することにより、樹脂層の上端を被覆する構成も想到し得るところ、この場合は、内側木材層または外側木材層の形状が複雑となり、製造のための労力や時間が多大なものとなる。これに対し、本考案では、三層構造の周壁部の上端が框部で被覆された上で、周壁部と一体化された簡易な構成であるため、内側木材層または外側木材層の形成が容易である。
【００１２】
本考案にかかる浴槽は、上記構成に加え、「前記樹脂層は前記内側木材層の外周面に積層されており、前記樹脂層と前記外側木材層との間には空隙が形成されている」ものとすることができる。
【００１３】
浴槽の漏水を防止するためには、内側木材層及び外側木材層の双方が樹脂層によって防水されていることまでは必要なく、内側木材層が樹脂層によって防水されていれば足りる。また、内側木材層及び外側木材層の双方を樹脂層で被覆する施工は手間がかかる。これに対し、上記構成の本考案は、内側木材層のみに樹脂層が積層されている簡易な構成であるため、浴槽の漏水が有効に防止された浴槽を容易に製造することが可能である。なお、樹脂層と外側木材層との間の空隙は、外側木材層には樹脂層が積層されないことによって形成される空隙であり、樹脂層が部分的に外側木材層の内周面に単に当接している場合を含むものである。また、この空隙には、断熱材を充填することもできる。
【００１４】
本考案にかかる浴槽は、上記構成において、「前記周壁部の外形は平面視で円形または楕円形であり、前記周壁部の前記底部に対する角度は１００度〜１５０度である」ものとすることができる。
【００１５】
本考案の浴槽は、樹脂層によって防水性が担保されており、周壁部の形状の自由度が高いため、従来では箍を必要とした円形に、箍を使用することなく形成することができる。また、従来の桶風呂の形状には、小判形はあっても楕円形状はなかったところ、本考案では周壁部の外形を楕円形にすることができる。
【００１６】
加えて、従来の桶風呂では、箍を使用するゆえに周壁部の底部に対する角度を大きくすることはできなかった。これは、周壁部を構成する複数の板材間の隙間を無くし漏水を防止するために、周壁部を下方に向かって縮径する筒状に形成し、周壁部の外周面に箍を嵌めた上で、箍による巻き締め力に抗して底板を上方から落とし込むように周壁部の下端側開口に嵌め込んでいたことによる。このように、底板を上方から嵌め込む作業は、周壁部の底部に対する角度が大き過ぎる場合は困難である。そのため、従来では、周壁部の底部に対する角度は、詳細は後述するように１００度に満たないものであった。これに対し、本考案の浴槽は箍が不要であるため、周壁部の底部に対する角度を１００度以上とすることが可能であり、従来にない新規な形状の浴槽となる。なお、入浴のし易さ及び周壁部の製造のし易さを考慮して、周壁部の底部に対する角度は１５０度以下とされる。また、同理由により１２０度以下であればより望ましい。
【００１７】
本考案にかかる浴槽は、「前記周壁部の外形は平面視で円形または楕円形であり、前記周壁部の前記底部に対する角度は直角である」ものとすることもできる。
【００１８】
上記のように、従来の桶風呂では、周壁部の底部に対する角度を大きくすることができなかったことに加え、この角度を直角とすることもできなかった。これは、箍による巻き締め力に抗して底板を上方から落とし込むことによって、周壁部を構成する複数の板材間の隙間を無くすという効果を有効に得るためには、周壁部を下方に向かって縮径する筒状に形成する必要があったためである。これに対し、本考案では箍が不要であるため、周壁部の底部に対する角度を直角とすることが可能であり、従来にない新規な形状の浴槽となる。
【００１９】
本考案にかかる浴槽は、「前記周壁部の前記底部に対する角度は単一ではない」ものとすることができる。
【００２０】
従来の桶風呂では、周壁部の底部に対する角度が部分的に異なることはなく、周壁部の全周にわたり単一の角度であった。これは、周壁部の底部に対する角度が部分的に異なる場合は、箍と周壁部の外周面との間に部分的に隙間が生じてしまい、しっかりと巻き締めることができないからである。これに対し、本考案では箍が不要であるため、周壁部の底部に対する角度を部分的に異ならせることが可能であり、従来にない新規な形状の浴槽となる。
【考案の効果】
【００２１】
以上のように、本考案によれば、木材を使用した浴槽であって、箍を備えず多様な形状とすることが可能な浴槽、を提供することができる。
【図面の簡単な説明】
【００２２】
【図１】本考案の第一実施形態の浴槽の（ａ）平面図、（ｂ）側面図、（ｃ）Ａ−Ａ線断面図、及び、（ｄ）Ｂ−Ｂ線断面図である。
【図２】Ａ−Ａ線断面図における要部拡大図である。
【図３】図１の浴槽の斜視図である。
【図４】本考案の第二実施形態の浴槽の（ａ）平面図、（ｂ）側面図、及び、（ｃ）Ｃ−Ｃ線断面図である。
【図５】Ｃ−Ｃ線断面図における要部拡大図である。
【図６】図４の浴槽の斜視図である。
【図７】本考案の第三実施形態の浴槽の（ａ）平面図、（ｂ）Ｅ−Ｅ線断面図、及び、（ｃ）Ｆ−Ｆ線断面図である。
【図８】第三実施形態の変形例の浴槽の（ａ）平面図、（ｂ）Ｇ−Ｇ線断面図、及び、（ｃ）Ｈ−Ｈ線断面図である。
【図９】本考案の他の実施形態の平面図である。
【図１０】第一実施形態〜第三実施形態の浴槽に使用する排水栓の（ａ）平面図、（ｂ）Ｉ−Ｉ線断面図、及び、（ｃ）Ｊ−Ｊ線半断面図である。
【図１１】従来の桶風呂における周壁部の角度を説明する図である。
【考案を実施するための形態】
【００２３】
以下、本考案の第一実施形態の浴槽１について、図１乃至図３に基づいて説明する。浴槽１は、底部１０、底部１０の周縁から立ち上がる周壁部２０、及び、周壁部２０の上端を被覆する環状の框部３０を具備し、周壁部２０は、複数の木材片Ｗ１が並設され上端が框部３０と一体化された内側木材層２１、内側木材層２１の外側で複数の木材片Ｗ２が並設され上端が框部３０と一体化された外側木材層２２、及び、内側木材層２１及び外側木材層２２の間に設けられた繊維強化プラスチックの樹脂層２３の三層構造であり、周壁部２０を外側から巻き締める箍は具備しないものである。
【００２４】
また、浴槽１では、樹脂層２３は内側木材層２１の外周面に積層されており、樹脂層２３と外側木材層２２との間には空隙Ｓが形成されている。更に、浴槽１において、周壁部２０の外形は平面視で楕円形であり、周壁部２０の底部１０に対する角度βは１００度〜１２０度である。
【００２５】
より詳細には、底部１０は、複数の木材片Ｗが並設された平板状の底部木材層１１、及び、底部木材層１１の底面に繊維強化プラスチックが積層された底部樹脂層１２を備えている。また、底部１０は、平面視の外形が内側木材層２１の下端側開口２１ｅの内周より若干大きい楕円形であり、下端側開口２１ｅを閉塞するように内側木材層２１に嵌め込まれている。なお、底部１０には、排水管に接続されて排水栓５０（後述）を受ける口金具（図示しない）が挿通される排水用孔部４５が穿設されている。また、底部１０の底面には、設置面から浴槽１を支持する脚体４１が複数取り付けられている。
【００２６】
框部３０は、平面視の外形が周壁部２０の上端の外形と等しい楕円形であり、周壁部２０の厚さと等しい幅を有する環状である。また、框部３０の底面には、二本の溝部３１，３２が同心の楕円形状に形成されている。
【００２７】
周壁部２０の内側木材層２１は、複数の細長い木材片Ｗ１が、長手方向を上下方向に向けた状態で、それぞれの側面を突き合わせた状態で並設されることにより形成されている。それぞれの木材片Ｗ１は内側に湾曲しており、全体として平面視で楕円形の内側木材層２１を形成している。また、内側木材層２１の上端面には、框部３０の内側の溝部３１と対応した形状の突条２１ｐが形成されている。
【００２８】
一方、周壁部２０の外側木材層２２は、上記の内側木材層２１と同様に複数の木材片Ｗ２を並設して形成されており、その上端面には框部３０の外側の溝部３２と対応した形状の突条２２ｐが形成されている。なお、外側木材層２２の高さは内側木材層２１の高さより大きく、その差は脚体４１の高さより僅かに短い。これにより、底部１０の底面に脚体４１が取り付けられ、浴槽１が設置面に設置された状態では、脚体４１は外側木材層２２に遮られて外部からはほとんど視認されない。
【００２９】
ここで、本実施形態の浴槽１における周壁部２０の底部１０に対する角度βは、従来の桶風呂に比べてかなり大きい。ここで、従来の桶風呂では、複数の木材片を並設して下方に向かって縮径する筒状の周壁部を形成し、周壁部の外周面を箍で巻き締めた後、底板を上方から落とし込むように周壁部の下端側開口に嵌め込んでいた。これは、箍による巻き締め力に抗して底板を嵌め込むことにより、木材片間及び周壁部と底板との間の空隙を無くし、漏水を防ぐためである。このように、底板を上方から嵌め込む作業は、周壁部の傾斜が大き過ぎる場合は困難となる。一方で、周壁部の傾斜が小さく底板に対して垂直に近い場合は、上記の漏水を防ぐ効果が低減してしまう。
【００３０】
そのため、従来の桶風呂では、周壁部の傾斜は周壁部の厚さと同程度とされていた。すなわち、図１１に示すように、ある縦断面において周壁部の上端から底部の延長面上に垂直に下ろした点から、底部の延長面と周壁部とが交差する点までの距離Ｌは、周壁部の厚さｄと同程度であった。このことから、周壁部の厚さを一般的な５ｃｍ程度とすると、周壁部の高さが４０ｃｍ〜６０ｃｍのとき、従来の桶風呂では、底面に対する周壁部の角度αは９５度〜９７度である。
【００３１】
これに対し、本実施形態の浴槽１では、図１（ｃ）に示すように、周壁部２０の上端から底部１０の延長面上に垂直に下ろした点から、底部１０の延長面と周壁部２０とが交差する点までの距離Ｎを、周壁部２０の厚さＤの２倍〜５倍としても容易に製造することができる。この場合、上記と同様に周壁部２０の厚さを約５ｃｍ、周壁部２０の高さを４０ｃｍ〜６０ｃｍとすると、底面に対する周壁部２０の角度βは１００〜１２０度となる。
【００３２】
次に、上記構成の浴槽１の製造方法を例示する。まず、複数の木材片を連結し、環状の框部３０を組み立てる。このとき、木材片同士は、例えば、ホゾとホゾ孔との嵌合により連結することができる。そして、組み立てられた框部３０の底面に、二本の溝部３１，３２を形成する。次に、複数の木材片Ｗ１を、それぞれの一端を内側の溝部３１に嵌め込みつつ、隣接する木材片Ｗ１の側面を突き合わせて連結し、筒状の内側木材層２１を形成する。このとき、木材片Ｗ１同士の連結は、上記と同様にホゾとホゾ孔との嵌合により行うことができる。そして、形成された内側木材層２１の内周面及び外周面をカンナ等で削り、滑らかな楕円形状に整える。また、内側木材層２１の下端面に、底部１０を嵌め込むための段部２１ｂを形成する。
【００３３】
一方、複数の木材片Ｗを連結して平板状とし、楕円形状に切り出して底部木材層１１を形成する。ここで、木材片Ｗ同士の連結は、例えば、隣接する二つの木材片Ｗが互いに対面する側面において、一方には溝を設け、他方にはこの溝と対応する形状の突条を設け、両者を嵌合させることにより行うことができる。そして、所定形状に切り出された底部１０を、内側木材層２１の下端の段部２１ｂに嵌め込み、内側木材層２１の下端側開口２１ｅを底部１０で閉塞する。
【００３４】
次に、内側木材層２１の外周面を繊維強化プラスチックで被覆し樹脂層２３を形成する。ここで、樹脂層２３を形成する作業は、例えば、樹脂を含浸させた繊維材を、刷毛やローラ等を用いて内側木材層２１の外周面に貼り付けるハンドレイアップ式、または、スプレーガンで樹脂を吹き付けながら繊維材を貼り付けるスプレーアップ式により行うことができる。また、繊維材としては、樹脂層２３に対して所望する強度や剛性に応じて、ガラスマット、ガラスクロス、ガラスロービングクロス、カーボンクロス等を、単独または併用して使用することができる。なお、繊維材の貼着に先立ち、ゲルコート樹脂による下地処理を行い、その上に繊維材を貼着することにより、繊維強化プラスチックのマトリックス樹脂とゲルコート樹脂層とを一体化させても良い。
【００３５】
内側木材層２１の外周面を被覆した繊維強化プラスチックを、加熱処理により硬化させると、内側木材層２１の外周面に積層された状態で樹脂層２３が形成される。また、底部木材層１１の底面も同様に繊維強化プラスチックで被覆し、底部樹脂層１２を積層する。
【００３６】
その後、内側木材層２１と同様に外側木材層２２を形成する。すなわち、複数の木材片Ｗ２のそれぞれの一端を框部３０の外側の溝部３２に嵌め込みつつ、互いの側面を突き合わせて連結し筒状の外側木材層２２とする。このとき、本実施形態では樹脂層２３と外側木材層２２との間に空隙Ｓが形成される設計であるため、繊維材の重ね合わせによって樹脂層２３に多少の凹凸が生じていたとしても、外側木材層２２の形成に支障がない。なお、この空隙Ｓには、断熱材を充填することができる。最後に、外側木材層２２の外周面の形状を整え、底部１０の底面に脚体４１を取り付ければ、上記構成の浴槽１が得られる。
【００３７】
上記のように、第一実施形態の浴槽１によれば、複数の板材片Ｗ１によって組み上げられている内側木材層２１における漏水が、内側木材層２１に積層された樹脂層２３によって防止されているため、従来の桶風呂とは異なり、箍を嵌める必要がない。これにより、周壁部２０の形状の自由度が高く、従来の木製の浴槽にはなかった楕円形という形状とすることが可能となっている。加えて、底部１０に対する周壁部２０の角度βは、１００度〜１２０度という従来の桶風呂では不可能であった大きな角度であり、このことによっても、従来の桶風呂にはない新規な形状となっている。
【００３８】
また、樹脂層２３は内側木材層２１及び外側木材層２２に挟み込まれ、周壁部２０の上端は木材製の框部３０によって被覆されているため、外観上は木材のみからなる木製の浴槽１である。これにより、本実施形態の浴槽１によれば、伝統的な素材である木材を使用した浴槽に対する要請と、従来の木製の浴槽にはない新規な形状に対する要請に、同時に応えることができる。
【００３９】
更に、樹脂層２３は内側木材層２１のみに積層されており、外側木材層２２には積層されていないため、三層構造の周壁部２０の構成が簡易で製造が容易である。加えて、樹脂層２３と外側木材層２２との間に形成される空隙Ｓには、断熱材を充填することができるため、保温性の高い浴槽１とすることができる。
【００４０】
加えて、本実施形態では、周壁部２０と同様に底部１０も複数の木材片Ｗを並設した木材の層（底部木材層１１）を備えているが、その底面には底部樹脂層１２が積層され、底部１０における漏水も有効に防止されている。これにより、大きな一枚板を用いることなく、小サイズの複数の板材で底部１０を形成することができる。
【００４１】
次に、第二実施形態の浴槽２について、図４乃至図６を用いて説明する。第一実施形態の浴槽１との相違は、周壁部２０ｂの外形及び底部１０に対する周壁部２０ｂの角度である。すなわち、浴槽２の周壁部２０ｂの外形は平面視で円形であり、周壁部２０ｂの底部１０に対する角度は直角である。
【００４２】
上述したように、従来の桶風呂では、箍による巻き締め力に抗して底板を上方から嵌め込むことによる効果を有効に得るために、底板に対する周壁部の角度を直角とすることができなかった。これに対し、本実施形態の浴槽２では箍が不要であるため、周壁部２０ｂの底部１０に対する角度を直角とすることが可能である。これにより、本実施形態の浴槽２は、周壁部２０ｂの外形が円形であり、且つ、底部１０に対する周壁部２０ｂの角度が直角という、従来の木製の浴槽にはなかった形状とすることが可能となっている。
【００４３】
次に、第三実施形態の浴槽３について、図７を用いて説明する。第一実施形態の浴槽１及び第二実施形態の浴槽２との大きな相違は、底部１０に対する周壁部２０ｃの角度が単一ではないことである。
【００４４】
より具体的には、周壁部２０ｃの外形は平面視で小判形であり、周壁部２０ｃは、底部１０に対する角度が直角の垂直面部２０ｐと、底部１０に対する角度が直角より大きい傾斜面部２０ｉを備えている。ここで、「小判形」とは、対向する一対の辺が同一長さの直線であり、且つ、対向する他の一対の辺が半円弧状である形状である。そして、本実施形態では、周壁部２０ｃにおいて、直線状の一対の辺の上端から下端側に向けて下降している壁面が垂直面部２０ｐとなっており、円弧状の一対の辺の上端から下端側に向けて下降している壁面が傾斜面部２０ｉとなっている。
【００４５】
また、第三実施形態は、図８に示すような変形例の浴槽３ｂとすることもできる。浴槽３ｂは、浴槽３と同じく周壁部２０ｃの外形が平面視で小判形であって、周壁部２０ｃにおいて、一対の円弧状の辺の一方の上端から下端側に向けて下降している壁面が傾斜面部２０ｉとなっており、他方の円弧状の辺、及び、直線状の一対の辺の上端から下端側に向けて下降している壁面が、何れも垂直面部２０ｐとなっている。
【００４６】
このような浴槽３，３ｂの形状も、従来の桶風呂では実現できなかった形状である。なぜなら、桶風呂の周壁部に垂直面部と傾斜面部とが存在すると、箍を嵌める場合に、垂直面部と傾斜面部との境界付近で箍が周壁部の外周面に沿いにくく、隙間が生じてしまい、箍をしっかりと巻き締めることができないからである。これに対し、本実施形態では箍が不要であるため、周壁部２０ｃを垂直面部２０ｐと傾斜面部２０ｉとを共に備える構成とすることが可能であり、従来の桶風呂では実現できない新規な形状の浴槽となっている。
【００４７】
なお、第一実施形態〜第三実施形態の浴槽１，２，３，３ｂに穿設された排水用孔部４５を閉塞するために、図１０に示すような排水栓５０を使用することができる。ここで、排水栓５０は、排水用孔部４５に埋設され配水管に接続される筒状の口金具（図示しない）に嵌挿される栓本体５０ｂと、排水用孔部４５の開端を被覆するカバー部５０ｃとを備えている。より具体的には、栓本体５０ｂは栓筒部５１、栓底部５２、及び栓蓋部５３を備える有底有蓋の略円筒状であり、栓底部５２は完全に閉じた面として排水用孔部４５を閉塞する一方、栓蓋部５３には貫通する本体孔部５５が設けられている。また、栓蓋部５３の上面には円板状で栓蓋部５３より大径のカバー部５０ｃが接合されている。このカバー部５０ｃは木材製であり、本体孔部５５と重畳する位置に、本体孔部５５と同形のカバー部孔部５８が貫通して穿設されている。なお、栓本体５０ｂは、ステンレス等の金属製、あるいは樹脂製とすることができる。
【００４８】
かかる構成により、排水栓５０の栓本体５０ｂを排水用孔部４５に埋設された口金具に嵌挿すると、排水用孔部４５の開端縁に浴槽の底部１０上面より一段低く形成されている段部４５ｂでカバー部５０ｃが係止され、浴槽の底部１０上面とカバー部５０ｃの上面とがほぼ同一面となった状態で、排水用孔部４５の開端がカバー部５０ｃによって被覆される。
【００４９】
ここで、一般的な浴槽では、排水用孔部を閉塞する排水栓は、浴槽とは異なる材料で形成されているため、排水栓が目立ってしまい浴槽の意匠が損なわれ易い。これに対し、上記構成の排水栓５０では、カバー部５０ｃが木材製であり、浴槽の底部１０（底部木材層１１）と同素材であるため、排水栓５０が目立ちにくく浴槽の意匠が損なわれないものとなっている。なお、カバー部５０ｃは、底部木材層１１の材料と同一の木材を用いて形成すれば、より目立ちにくく、更に好適である。
【００５０】
なお、上記構成の排水栓５０は、先端にカギ状の引掛部が形成されたオープナー（図示しない）を使用して、排水用孔部４５から引き抜くことができる。具体的には、オープナーの引掛部を、カバー部孔部５８及び本体孔部５５を介して栓本体５０ｂ内部の空間に挿入し、更に引掛部の先端が栓蓋部５３の下方に位置するように差し入れる。その状態で、オープナーを引っ張れば、引掛部を栓蓋部５３の裏面に引き掛けた状態で、排水栓５０を排水用孔部４５から引き抜くことができる。
【００５１】
以上、本考案について好適な実施形態を挙げて説明したが、本考案はこの実施形態に限定されるものではなく、以下に示すように、本考案の趣旨を逸脱しない範囲において、種々の改良及び設計の変更が可能である。
【００５２】
例えば、第一実施形態では、周壁部２０の外形が楕円形で、底部１０に対して周壁部２０が直角より大きく傾斜している浴槽１を例示したが、楕円形の周壁部の底部に対する角度を、直角とすることもできる。また、第二実施形態では、周壁部２０ｂの外形が円形で、底部１０に対して周壁部２０ｂが直角である浴槽２を例示したが、円形の周壁部の底部に対する角度を、直角より大きな角度とすることもできる。
【００５３】
また、周壁部の形状は上記に例示したものに限定されない。例えば、図９に平面視の外形を示すように、径の異なる円弧を直線で結んだ形状の周壁部を備える浴槽４や（図９（ａ）参照）、径の異なる円弧を円弧で結んだ瓢箪型の周壁部を備える浴槽５（図９（ｂ）参照）とすることができる。加えて、第三実施形態では、底部１０に対する周壁部２０ｃの角度が単一ではない例として、周壁部２０ｃが垂直面部２０ｐと傾斜面部２０ｉを共に備える場合を例示したが、これに限定されず、一つの浴槽の周壁部が部分ごとに傾斜角度が変化する傾斜面部で形成されているものとすることができる。例えば、図９（ｃ）に例示するように、周壁部の上端と下端とで、その外形は共に楕円形であっても相似形ではない周壁部を備える浴槽６とすることができる。この場合、周壁部全体が傾斜面部であるが、その傾斜角度は周方向に沿って変化する。
【００５４】
更に、上記では、周壁部の外形として、円弧状や楕円弧状など湾曲した部分を含む形状を例示した。本考案は、周壁部の形状を、湾曲した部分を含む多様な形状とできる点で極めて意義があるが、もちろん湾曲した部分を有しない浴槽にも適用可能である。例えば、平面視で五角形、六角形、八角形など、平面のみで構成された周壁部を、内側木材層、樹脂層、及び、外側木材層の三層構造とすることにより、防水性の高い浴槽とすることができる。
【符号の説明】
【００５５】
１，２，３，３ｂ，４，５，６  浴槽
１０  底部
２０，２０ｂ，２０ｃ  周壁部
２１  内側木材層
２２  外側木材層
２３  樹脂層
３０  框部
Ｗ１，Ｗ２  木材片
Ｓ  空隙
【図１】
0003160678.tif 000003
【図２】
0003160678.tif 000004
【図３】
0003160678.tif 000005
【図４】
0003160678.tif 000006
【図５】
0003160678.tif 000007
【図６】
0003160678.tif 000008
【図７】
0003160678.tif 000009
【図８】
0003160678.tif 000010
【図９】
0003160678.tif 000011
【図１０】
0003160678.tif 000012
【図１１】
0003160678.tif 000013